【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  対象画像に対して周波数処理を施す画像処理装置であって、
対象画像の画質を評価する画質評価手段と、
対象画像の高周波成分を取得する高周波成分取得手段と、
上記画質評価手段の評価結果に基づいて、上記高周波成分取得手段で得られた高周波成分を変換する高周波成分変換手段と、
上記高周波成分変換手段による変換後の高周波成分に基づいて、対象画像の処理後画像を取得する処理画像取得手段とを備えることを特徴とする画像処理装置。
【請求項２】  上記画質評価手段は、対象画像の鮮鋭度を求めることを特徴とする請求項１記載の画像処理装置。
【請求項３】  上記鮮鋭度は、画素値毎のコントラスト値、又は被写体の画素値幅で正規化した対象画像の画素値毎のコントラスト値を含むことを特徴とする請求項２記載の画像処理装置。
【請求項４】  上記画質評価手段の評価結果及び基準評価値に基づいて、上記高周波成分変換手段における高周波成分の変換係数を制御する高周波成分制御手段を備え、
上記高周波成分変換手段は、上記高周波成分制御手段で得られた変換係数に基づいて、上記高周波成分の変換を行うことを特徴とする請求項１記載の画像処理装置。
【請求項５】  上記高周波成分制御手段は、任意に選択された上記基準評価値を用いることを特徴とする請求項４記載の画像処理装置。
【請求項６】  上記高周波成分制御手段は、周波数帯毎に任意に選択された上記基準評価値を用いることを特徴とする請求項４記載の画像処理装置。
【請求項７】  対象画像は、放射線撮影して得られた画像を含むことを特徴とする請求項１記載の画像処理装置。
【請求項８】  複数の機器が互いに通信可能に接続されてなる画像処理システムであって、
上記複数の機器のうち少なくとも１つの機器は、請求項１〜７の何れか１項に記載の画像処理装置の機能を有することを特徴とする画像処理システム。
【請求項９】  対象画像に対して周波数処理を施すための画像処理方法であって、
対象画像の画質を評価する画質評価ステップと、
対象画像の高周波成分を取得する高周波成分取得ステップと、
上記画質評価ステップによる評価結果に基づいて、上記高周波成分取得ステップにより得られた高周波成分を変換する高周波成分変換ステップと、
上記高周波成分変換ステップによる変換後の高周波成分に基づいて、対象画像の処理後画像を取得する処理画像取得ステップとを含むことを特徴とする画像処理方法。
【請求項１０】  対象画像に対して周波数処理を施すための画像処理方法であって、
対象画像の鮮鋭度を評価する画質評価ステップと、
対象画像の高周波成分を取得する高周波成分取得ステップと、
上記画質評価ステップによる評価結果、及び基準となる評価値に基づいて、高周波成分変換に用いる係数の大きさを制御する高周波成分制御ステップと、
上記高周波成分制御ステップにより得られた係数に基づいて、上記高周波成分取得ステップにより得られた高周波成分の大きさを変換する高周波成分変換ステップと、
上記高周波成分変換ステップによる変換後の高周波成分に基づいて、対象画像の処理後画像を取得する処理画像取得ステップとを含むことを特徴とする画像処理方法。
【請求項１１】  上記画質評価ステップにおける鮮鋭度を、画素値毎のコントラスト値、又は被写体の画素値幅で正規化した対象画像の画素値毎のコントラスト値とする処理ステップを含むことを特徴とする請求項１０記載の画像処理方法。
【請求項１２】  上記基準となる評価値を、任意に選択、又は周波数帯毎に任意に選択する処理ステップを含むことを特徴とする請求項１０記載の画像処理方法。
【請求項１３】  対象画像は、放射線撮影して得られた画像を含むことを特徴とする請求項９又は１０記載の画像処理方法。
【請求項１４】  対象画像に対して周波数処理を施すためのプログラムであって、
対象画像の画質を評価する画質評価ステップと、
対象画像の高周波成分を取得する高周波成分取得ステップと、
上記画質評価ステップによる評価結果に基づいて、上記高周波成分取得ステップにより得られた高周波成分を変換する高周波成分変換ステップと、
上記高周波成分変換ステップによる変換後の高周波成分に基づいて、対象画像の処理後画像を取得する処理画像取得ステップとをコンピュータに実行させるためのプログラム。
【請求項１５】  対象画像に対して周波数処理を施すためのプログラムであって、
対象画像の鮮鋭度を評価する画質評価ステップと、
対象画像の高周波成分を取得する高周波成分取得ステップと、
上記画質評価ステップによる評価結果、及び基準となる評価値に基づいて、高周波成分変換に用いる係数の大きさを制御する高周波成分制御ステップと、
上記高周波成分制御ステップにより得られた係数に基づいて、上記高周波成分取得ステップにより得られた高周波成分の大きさを変換する高周波成分変換ステップと、
上記高周波成分変換ステップによる変換後の高周波成分に基づいて、対象画像の処理後画像を取得する処理画像取得ステップとをコンピュータに実行させるためのプログラム。
【請求項１６】  請求項１４又は１５に記載のプログラムを記録したコンピュータ読み取り可能な記憶媒体。
【手続補正２】
【補正対象書類名】明細書
【補正対象項目名】００１０
【補正方法】変更
【補正の内容】
【００１０】
第３の発明は、上記第２の発明において、上記鮮鋭度は、画素値毎のコントラスト値、又は被写体の画素値幅で正規化した対象画像の画素値毎のコントラスト値を含むことを特徴とする。
【手続補正３】
【補正対象書類名】明細書
【補正対象項目名】００２１
【補正方法】変更
【補正の内容】
【００２１】
第１４の発明は、対象画像に対して周波数処理を施すためのプログラムであって、対象画像の画質を評価する画質評価ステップと、対象画像の高周波成分を取得する高周波成分取得ステップと、上記画質評価ステップによる評価結果に基づいて、上記高周波成分取得ステップにより得られた高周波成分を変換する高周波成分変換ステップと、上記高周波成分変換ステップによる変換後の高周波成分に基づいて、対象画像の処理後画像を取得する処理画像取得ステップとをコンピュータに実行させるためのプログラムである。
【手続補正４】
【補正対象書類名】明細書
【補正対象項目名】００２２
【補正方法】変更
【補正の内容】
【００２２】
第１５の発明は、対象画像に対して周波数処理を施すためのプログラムであって、対象画像の鮮鋭度を評価する画質評価ステップと、対象画像の高周波成分を取得する高周波成分取得ステップと、上記画質評価ステップによる評価結果、及び基準となる評価値に基づいて、高周波成分変換に用いる係数の大きさを制御する高周波成分制御ステップと、上記高周波成分制御ステップにより得られた係数に基づいて、上記高周波成分取得ステップにより得られた高周波成分の大きさを変換する高周波成分変換ステップと、上記高周波成分変換ステップによる変換後の高周波成分に基づいて、対象画像の処理後画像を取得する処理画像取得ステップとをコンピュータに実行させるためのプログラムである。
【手続補正５】
【補正対象書類名】明細書
【補正対象項目名】００２３
【補正方法】変更
【補正の内容】
【００２３】
第１６の発明は、上記第１４又は１５の発明のプログラムを記録したコンピュータ読み取り可能な記憶媒体である。
【手続補正６】
【補正対象書類名】明細書
【補正対象項目名】００２４
【補正方法】削除
【補正の内容】